(57)【要約】      （修正有）【課題】異物噛み込みが防がれる前火格子、及び、ストーカ炉を提供する。【解決手段】前火格子８は、板状部材８３と、前記板状部材８３に固着されている第１アーム状部材８１と、前記板状部材８３に固着されている第２アーム状部材８２と、前記第１アーム状部材８１の長手方向に沿って設けられ、前記第１アーム状部材８１に固着されている第１リブ８５と、前記第２アーム状部材８２の長手方向に沿って設けられ、前記第２アーム状部材８２に固着されている第２リブ８６とを具備している。ここで、前記第１アーム状部材８１及び前記第２アーム状部材８２は、両者の長手方向が互いに平行となるように、間隔をあけて対向している。そして、前記第１リブ８５と前記第２リブ８６との間には間隔が設けられている。【選択図】図３
2007113893.tif 000002
【特許請求の範囲】
【請求項１】
板状部材と、
前記板状部材に固着されている第１アーム状部材と、
前記板状部材に固着されている第２アーム状部材と、
前記第１アーム状部材の長手方向に沿って設けられ、前記第１アーム状部材に固着されている第１リブと、
前記第２アーム状部材の長手方向に沿って設けられ、前記第２アーム状部材に固着されている第２リブと
を具備し、
前記第１アーム状部材及び前記第２アーム状部材は、両者の長手方向が互いに平行となるように、間隔をあけて対向しており、
前記第１リブと前記第２リブとの間には間隔が設けられている
前火格子。
【請求項２】
請求項１の前火格子であって、
前記板状部材の長手方向に沿って設けられ、前記板状部材に固着されている第３リブを具備する
前火格子。
【請求項３】
請求項１又は請求項２の前火格子を具備する
ストーカ炉。
【発明の詳細な説明】
【技術分野】
【０００１】
本発明は、廃棄物の焼却等に使用されるストーカ炉、及び、ストーカ炉の前火格子に関する。
【背景技術】
【０００２】
従来、一般家庭からの都市ごみ、ないしは事業活動に伴って発生する産業廃棄物を焼却して、減容化・減量化と安定化・無害化を行うための焼却炉が知られている。
【０００３】
焼却炉の形式には、ストーカ炉、ロータリーキルン炉、流動炉、多段炉、固定炉、廃液炉などがある。
【０００４】
特許文献１は、従来のストーカ式廃棄物燃焼炉を開示している。
【０００５】
ストーカ炉は、傾斜した火格子に上部から焼却物を流下しながら焼却するもので、火格子は階段状で各段が前後に摺動運動するものが一般的である。都市ごみ焼却用に広く使われており、収集したものを破砕などの前処理なしに直接供給できる。
【０００６】
図４に従来のストーカ炉を示す。ストーカ炉は、炉壁１０６と、移動火格子１１１及び固定火格子１１２が交互に配列されたストーカ１２０とを備えている。炉壁１０６は、燃焼部内の焼却物供給部側に配置されている。炉壁１０６の炉壁面１０６ａは、焼却灰排出部側を向いている。移動火格子１１１は、駆動台１１０に取り付けられている。図示しない駆動装置が駆動台１１０を往復運動させると、移動火格子１１１は、固定火格子１１２の背面１１２ａに沿って往復摺動する。上方からストーカ１２０上に供給された焼却物は、ストーカ１２０によって焼却物供給部側から焼却灰排出部側へ搬送されながら、乾燥・燃焼する。このとき、焼却物は、ストーカによって攪拌・混合される。
【０００７】
図４に示すストーカ炉は、炉壁１０６と、炉壁１０６の下側に配置された移動火格子１１１との間に前火格子１０８を備えている。前火格子１０８は、炉壁１０６の下部に固着されている前火格子支持部１０７に軸部１０７ａを介して取り付けられている。前火格子１０８は、軸部１０７ａを軸として上下に揺動可能である。
【０００８】
前火格子１０８の平面図を図５に示す。前火格子１０８は、焼却物が炉壁１０６と移動火格子１１１の間を通って燃焼部内から漏出するのを防止する板状部材１８３と、アーム状部材１８１及び１８２とを備えている。アーム状部材１８１及び１８２の基部には、前火格子１０８を前火格子支持部１０７に取り付けるための取り付け部１８１ａ及び１８２ａがそれぞれ設けられている。板状部材１８３は、アーム状部材１８１及び１８２の端部に固着されている。前火格子１０８は、さらに、板状の補強部材１８４を備えている。補強部材１８４は、アーム状部材１８１及び１８２の上側に固着されている。
【０００９】
ここで、炉壁１０６と前火格子１０８との隙間に入り込んだ異物は、炉壁１０６と補強部材１８４との間に堆積する。前火格子１０８が堆積した異物を噛み込むと、ストーカが停止する場合がある。
【００１０】
前火格子による噛み込みを防ぐ必要がある。
【特許文献１】特開平１１−１７３５２６号公報
【発明の開示】
【発明が解決しようとする課題】
【００１１】
本発明の目的は、異物噛み込みが防がれる前火格子、及び、ストーカ炉を提供することである。
【課題を解決するための手段】
【００１２】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【００１３】
本発明による前火格子（８）は、板状部材（８３）と、前記板状部材に固着されている第１アーム状部材（８１）と、前記板状部材に固着されている第２アーム状部材（８２）と、前記第１アーム状部材の長手方向に沿って設けられ、前記第１アーム状部材に固着されている第１リブ（８５）と、前記第２アーム状部材の長手方向に沿って設けられ、前記第２アーム状部材に固着されている第２リブ（８６）とを具備している。ここで、前記第１アーム状部材及び前記第２アーム状部材は、両者の長手方向が互いに平行となるように、間隔をあけて対向している。そして、前記第１リブと前記第２リブとの間には間隔が設けられている。
【００１４】
さらに、本発明による前火格子（８）は、前記板状部材の長手方向に沿って設けられ、前記板状部材に固着されている第３リブ（８７）を具備している。
【００１５】
また、本発明によるストーカ炉は、焼却物を燃焼させる燃焼部（１９）と、焼却物を焼却物供給口（２２）から前記燃焼部に供給する焼却物供給部（２１）と、前記燃焼部から焼却灰を排出する焼却灰排出部（１８）と、前記燃焼部の底部に配置されたストーカ（２０）と、前記焼却物供給口の下側に配置された炉壁（６）と、前記炉壁の下側に配置され、前記ストーカの一部を構成する移動火格子（１１）と、前記炉壁と前記移動火格子との間に設けられた前火格子（８）とを具備している。
【発明の効果】
【００１６】
本発明によれば、異物噛み込みが防がれる前火格子、及び、ストーカ炉が提供される。
【発明を実施するための最良の形態】
【００１７】
添付図面を参照して、本発明による前火格子、及び、ストーカ炉を実施するための最良の形態を以下に説明する。
【００１８】
本発明の実施の形態に係るストーカ炉を図１に示す。ストーカ炉は、ごみ等の焼却物を燃焼する燃焼部１９と、燃焼部１９内へ焼却物を供給する焼却物供給部２１と、燃焼部１９内から焼却灰を排出する焼却灰排出部１８とを備えている。
【００１９】
焼却物供給部２１は、ホッパ１と、シュート２と、フィーダ３と、フィーダ駆動装置４と、フィードテーブル５とを備えている。ホッパ１に投入された焼却物は、自重によりシュート２内を落下し、フィードテーブル５上に達する。焼却物は、油圧シリンダのようなフィーダ駆動装置４によって往復運動されるフィーダ３により、焼却物供給口２２から間欠的に燃焼部１９内のストーカ２０上へ供給される。
【００２０】
燃焼部１９は、キャスタブル耐火物の構造物である炉壁６と、前火格子支持部７と、前火格子８と、階段式のストーカ２０とを備えている。ストーカ２０は、燃焼部１９の底部に配置されており、焼却物供給部２１から供給された焼却物を焼却物供給部２１側から焼却灰排出部１８側へ搬送する。炉壁６は、焼却物供給口２２の下側に配置されている。炉壁６の炉壁面６ａは焼却灰排出部１８側を向いている。ストーカ２０は、移動火格子１１、１３、１５と、固定火格子１２、１４、１６とを備えている。火格子１１〜１６は、移動火格子と固定火格子とが焼却物の搬送方向に交互に配列されている。移動火格子１１、１３、１５は、支持ローラ１７によって支持される駆動台１０に取り付けられている。油圧シリンダのような移動火格子駆動装置９によって駆動台１０を往復運動させると、移動火格子１１、１３、１５は、それぞれ、固定火格子１２、１４、１６の背面に沿って往復摺動する。移動火格子１１、１３、１５が摺動する方向は、ストーカ２０が焼却物を搬送する方向を含む垂直面内にあり、移動火格子１１、１３、１５が焼却灰排出部１８に近づく方向に上向きである。ストーカ２０においては、各火格子１１〜１６の背面は、焼却物供給部２１側上方を向いている。
【００２１】
ストーカ２０上の焼却物は、ストーカ２０によって焼却物供給部２１側から焼却灰排出部１８側へ搬送されながら、乾燥・燃焼する。このとき、焼却物は、ストーカ２０によって攪拌・混合される。
【００２２】
図１の前火格子８近傍を拡大して図２に示す。前火格子８は、炉壁６と、炉壁６の下側に位置する移動火格子１１との間に配置されており、炉壁６の下部に固着されている前火格子支持部７に軸部７ａを介して取り付けられている。前火格子８は、移動火格子１１の背面１１ａに接触しており、移動火格子１１の動きに対応して軸部７ａを軸として上下に揺動可能である。ここで、移動火格子１１は、ストーカ２０の備える火格子１１〜１６の中で、焼却物の搬送方向の最も上流側に配置されている。移動火格子１１は、移動火格子１１の下流側に位置する固定火格子１２の背面１２ａに沿って往復摺動する。
【００２３】
前火格子８の平面図を図３に示す。前火格子８は、焼却物が炉壁６と移動火格子１１の間を通って燃焼部１９内から漏出するのを防止する板状部材８３と、アーム状部材８１及び８２とを備えている。アーム状部材８１及び８２の長手方向の一方側端部である基部には、前火格子８を前火格子支持部７に取り付けるための取り付け部８１ａ及び８２ａがそれぞれ設けられている。取り付け部８１ａ及び８２ａは、一例として、アーム状部材８１及び８２に設けられた円形の貫通孔である。板状部材８３は、矩形の板形状をしており、アーム状部材８１及び８２の長手方向の他方側端部に固着されている。アーム状部材８１及び８２は、両者の長手方向が互いに平行であり、板状部材８３の長手方向に間隔をあけて対向している。ここで、板状部材８３の厚さ方向とアーム状部材８１及び８２の長手方向とは平行であり、板状部材８３の長手方向と軸部７ａの軸方向とは平行である。
【００２４】
前火格子８は、アーム状部材８１の長手方向に沿って設けられ、アーム状部材８１に固着されている第１リブ８５と、アーム状部材８２の長手方向に沿って設けられ、アーム状部材８２に固着されている第２リブ８６とを備えている。ここで、第１リブ８５と第２リブ８６との間には間隔が設けられている。また、前火格子８は、板状部材８３の長手方向に沿って板状部材８３に固着されている第３リブ８７を備えている。
【００２５】
前火格子８においては、第１リブ８５と第２リブ８６との間に間隔が設けられているために、炉壁６と前火格子８との間に異物が堆積しにくく、異物を噛み込むことが防がれている。
【００２６】
前火格子８は、第１リブ８５、第２リブ８６、及び第３リブ８７を備えているため、頑丈である。前火格子８は、第３リブ外側部分８７ａと第２リブ外側部分８６ａ、第３リブ中央部分８７ｂと第２リブ内側部分８６ｂ、第３リブ中央部分８７ｂと第１リブ内側部分８５ｂ、第３リブ外側部分８７ｃと第１リブ外側部分８５ａが、それぞれ一体化されているため、とても頑丈である。
【００２７】
なお、前火格子８は、第３リブ８７を備えずに、第１リブ８５及び第２リブ８６のみを備えることも可能である。また、前火格子８は、第１リブ８５及び第２リブ８６を備えるときに、第１リブ外側部分８５ａ及び第２リブ外側部分８６ａと、第１リブ内側部分８５ｂ及び第２リブ内側部分８６ｂとの、いずれか一方のみを備えることも可能であり、両者を備えることも可能である。また、第３リブ８７は、第３リブ外側部分８７ａ、第３リブ中央部分８７ｂ、及び第３リブ外側部分８７ｃの一部を備えないことも可能である。また、第３リブ外側部分８７ａと第２リブ外側部分８６ａ、第３リブ中央部分８７ｂと第２リブ内側部分８６ｂ、第３リブ中央部分８７ｂと第１リブ内側部分８５ｂ、第３リブ外側部分８７ｃと第１リブ外側部分８５ａは、一体ではなく、別体とすることも可能である。
【図面の簡単な説明】
【００２８】
【図１】図１は、本発明の実施の形態に係るストーカ炉の全体図である。
【図２】図２は、図１の拡大図である。
【図３】図３は、本発明の実施の形態に係る前火格子を示す図である。
【図４】図４は、従来のストーカ炉における前火格子の近傍を示す図である。
【図５】図５は、従来の前火格子を示す図である。
【符号の説明】
【００２９】
１…ホッパ
２…シュート
３…フィーダ
４…フィーダ駆動装置
５…フィードテーブル
６…炉壁
６ａ…炉壁面
７…前火格子支持部
７ａ…軸部
８…前火格子
９…移動火格子駆動装置
１０…駆動台
１１、１３、１５…移動火格子
１１ａ、１２ａ…背面
１２、１４、１６…固定火格子
１７…支持ローラ
１８…焼却灰排出部
１９…燃焼部
２０…ストーカ
２１…焼却物供給部
２２…焼却物供給口
８１、８２…アーム状部材
８１ａ、８２ａ…取り付け部
８３…板状部材
８５…第１リブ
８５ａ…第１リブ外側部分
８５ｂ…第１リブ内側部分
８６…第２リブ
８６ａ…第２リブ外側部分
８６ｂ…第２リブ内側部分
８７…第３リブ
８７ａ、８７ｃ…第３リブ外側部分
８７ｂ…第３リブ中央部分
１０６…炉壁
１０６ａ…炉壁面
１０７…前火格子支持部
１０７ａ…軸部
１０８…前火格子
１１０…駆動台
１１１…移動火格子
１１２…固定火格子
１１２ａ…背面
１２０…ストーカ
１８１、１８２…アーム状部材
１８１ａ、１８２ａ…取り付け部
１８３…板状部材
１８４…補強部材
【図１】
2007113893.tif 000003
【図２】
2007113893.tif 000004
【図３】
2007113893.tif 000005
【図４】
2007113893.tif 000006
【図５】
2007113893.tif 000007